(57)【要約】
【課題】  差込孔から埃や異物が侵入するのを防ぎ、感電事故の発生や導電効率が低下するのを防止できる一口コンセントカバーの提供。
【解決手段】  導電端子Ａ３と対応する差込孔１３，１４を設けた外殻体１と、幅方向に移動可能なスライド台２と、スライド台２に枢支されて差込孔１３を開閉し、閉鎖方向へ付勢されたカバー片３を備え、カバー片３に、閉鎖時に差込孔１３へ挿入される遮蔽片３２を設け、スライド台２をカバー片３が差込孔１３へ接近する方向へ付勢する。
【選択図】          図３
0003100893.tif 000002
【実用新案登録請求の範囲】
【請求項１】
コンセントに一組の導電端子を覆うよう装着される一口コンセントカバーであって、前記各導電端子と対応する位置に一組の差込孔を有する外殻体と、該外殻体に対して幅方向へ移動可能に配置されたスライド台と、前記スライド台に回動自在に枢支され、回動に伴って前記各差込孔を開閉する一組のカバー片とを備え、該カバー片は差込孔を閉鎖する方向へ付勢されると共に、カバー片には、閉鎖時に前記差込孔へ挿入されて、前記スライド台の移動を規制する遮蔽片を設け、前記スライド台は、前記カバー片が差込孔へ接近する方向へ付勢され、一組の差込孔全てにプラグの刃が挿入された場合のみ、前記一組のカバー片の遮蔽片が前記差込孔から脱出して前記スライド台が移動し、これらカバー片がスライド台と共に幅方向に移動して、前記プラグの刃が前記導電端子に接触可能となることを特徴としたコンセントカバー。
【考案の詳細な説明】
【技術分野】
【０００１】
本考案は、コンセントにその一組の導電端子を覆うように装着される一口コンセントカバーに関する。
【背景技術】
【０００２】
一般的に、壁面に設置されたコンセント或いは延長コンセントは、一組以上の差込口を有する。
従来のコンセントは、差込口が露出しているので、幼児が好奇心から差込口へ異物を挿入し、感電する事故が発生しやすい。また、差込口の内部に銅を素材とする導電端子が配置されているが、空気中の湿度の影響で銅が酸化したり、埃が堆積して、導電効率に悪影響を与えたり、火災が発生する虞がある。
このように、従来のコンセントは、潜在的な危険性を有していた。
【考案の開示】
【考案が解決しようとする課題】
【０００３】
本考案が解決しようとする課題は、差込孔から埃や異物が侵入するのを防ぎ、感電事故の発生や導電効率が低下するのを防止できるコンセントカバーを提供することにある。
【課題を解決するための手段】
【０００４】
本考案の一口コンセントカバーは、コンセントに一組の導電端子を覆うよう装着され、前記各導電端子と対応する位置に一組の差込孔を有する外殻体と、該外殻体内に対して幅方向へ移動可能に配置されたスライド台と、前記スライド台に回動自在に枢支され、回動に伴って前記差込孔を開閉する一組のカバー片とを備え、該カバー片は差込孔を閉鎖する方向へ付勢されると共に、カバー片には、閉鎖時に前記差込孔へ挿入されて、前記スライド台の移動を規制する遮蔽片を設け、前記スライド台は、前記カバー片が差込孔へ接近する方向へ付勢され、一組の差込孔全てにプラグの刃が挿入された場合のみ、前記一組のカバー片の遮蔽片が前記差込孔から脱出して前記スライド台が移動し、これらカバー片がスライド台と共に幅方向に移動して、前記プラグの刃が前記導電端子に接触可能となる。
【考案の効果】
【０００５】
本考案によれば、一組の差込孔全てにプラグの刃が挿入された時のみに、カバー片が回動すると共に幅方向に移動して、刃が導電端子に接触する深さまで進入するのを許容し、その他の場合には、カバー片が異物の進入を阻止し、しかも、プラグを抜き取ると、カバー片が自動的に差込孔を閉鎖するので、異物が差込孔へ進入して導電端子に接触し、感電事故が発生したり、導電端子に埃が付着して導電効率が低下するのを防止できる。
また、コンセントの形態の相異にも対応しやすく、延長コンセント、壁面コンセント等の様々なコンセントに広く適用できる。
【考案を実施するための最良の形態】
【０００６】
以下、本考案の実施例を図面に基づいて詳細に説明する。
【実施例１】
【０００７】
図１乃至図５は、本考案の実施例１を示す。
図１に示すように、本考案の一口コンセントカバーは、外殻体１、スライド台２及び一組の（２個の）カバー片３を備える。
外殻体１は、互いに係合されて中空の立方体となる上殻体１１と下殻体１２とから成り、上殻体１１と下殻体１２とは、嵌合、超音波接合、ネジ止め等の適宜接合方法で固定されている。
また、上殻体１１及び下殻体１２の両側寄りにおいて、上下に対応する位置には、それぞれ差込孔１３，１４が穿設され、下殻体１２の下面において差込孔１３の側方には、それぞれ固定突起１５が突出され、各固定突起１５には差込孔１３の直下に向けてバネ１６の一端部が取り付けられる。
【０００８】
スライド台２は、外殻体１の内法幅よりもやや幅狭であって、上下面が開口した枠体より成り、外殻体１の内部に幅方向にスライド可能に収納される。
また、スライド台２の前後壁の両側部上縁において、相対向する個所には、上殻体１１の差込孔１３と固定突起１５との間に位置するように、それぞれ係合溝２１が形成されている。
【０００９】
カバー片３は、上殻体１１の差込孔１３を閉鎖する板体より成り、その一側縁には前後方向に延びる支軸３１が配設される。そして、この支軸３１を係合溝２１に係合することにより、カバー片３がスライド台２上に回動可能に架設される。
カバー片３の上面には、差込孔１３に抜挿自在に差し込まれる突起状の遮蔽片３２が形成され、カバー片３の下面には支持片３３が突設される。
また、支持片３３にはバネ１６の他端部が連結されて、カバー片３が上殻体１１の差込孔１３を閉鎖し、遮蔽片３２が差込孔１３へ挿入される方向へ付勢されている。さらに、カバー片３はスライド台２に支持されているので、スライド台２もバネ１６によってカバー片３が差込孔１３へ接近する方向へ付勢されている。
【００１０】
図３及び図４に示すように、この一口コンセントカバーは、コンセントＡの上面に形成された固定孔Ａ１に嵌合固定される。コンセントＡの内部に収納された座体Ａ２には、一対の導電端子Ａ３が設置され、一口コンセントカバーをコンセントＡに取り付けると、下殻体１２の差込孔１４の直下にそれぞれ導電端子Ａ３が位置するようになっている。
常態においては（プラグを差し込まない状態においては）、図３に示すように、カバー片３が上殻体１１の差込孔１３を閉鎖し、スライド台２の固定突起１５が差込孔１３に接近している。
【００１１】
図４に示すように、プラグＢの刃Ｂ１を上殻体１１の差込孔１３へ挿入すると、刃Ｂ１がカバー片３の遮蔽片３２を押し下げるので、カバー片３は支軸３１を中心に回動して斜め下方に傾斜すると共に、差込孔１３が開放される。
さらにプラグＢの刃Ｂ１が下降すると、傾斜したカバー片３が一口コンセントカバーの幅方向へ押圧され、カバー片３の支持片３３がバネ１６を押し縮める。カバー片３はスライド台２の係合溝２１に支持されているので、カバー片３が幅方向へ移動すると係合溝２１が差込孔１３から遠ざかり、スライド台２も幅方向へスライドして、刃Ｂ１は下降を継続することができる。
【００１２】
そして、プラグＢの刃Ｂ１が下殻体１２差込孔１４を通過すると、コンセントＡの導電端子Ａ３内に挿入されて、導通状態となる。
プラグＢの刃Ｂ１を差込孔１３，１４から引き抜くと、バネ１６の弾性回復力によってカバー片３が押し戻され、スライド台２が幅方向にスライドして元の位置に復帰し、カバー片３が差込孔１３を閉鎖すると共に、遮蔽片３２が差込孔１３に挿入される。
【００１３】
図５に示すように、上殻体１１の一方の差込孔１３へ異物Ｃが差し込まれた場合は、一方のカバー片３の遮蔽片３２のみが異物によって押し下げられ、一方のカバー片３は回動して斜め下降に傾斜する。
しかし、他方のカバー片３は回動せず、その遮蔽片３２は差込孔１３に挿入されているので、スライド台２は幅方向に移動することができない。
この結果、異物Ｃによって押し下げられた一方のカバー片３も幅方向に移動できないので、異物Ｃの下端に当接してその進入を阻み、異物Ｃが下殻体１２の差込孔１４を通過して導電端子Ａ３に接触することは不可能となり、感電事故の発生を防ぐことができる。
【実施例２】
【００１４】
図６及び図７は実施例２を示す。
図７に示すように、中空箱形の外殻体４は、上殻体４１と下殻体４２とを組み立てて成り、上殻体４１及び下殻体４２の両側部において、上下に対応する位置にそれぞれ差込孔４１１，４２１が穿設される。
外殻体４の内部には、上下面が開口した枠体より成るスライド台４５が、幅方向に移動可能に収納される。
【００１５】
スライド台４５には、一側縁に設けられた支軸４８を中心に回動し、回動に伴って上殻体４１の差込孔４１１を開閉する一対のカバー片４６が設置され、カバー片４６の上面には、閉鎖時に差込孔４１１へ挿入される遮蔽片４７が形成される。
また、図６に示すように、カバー片４６の支軸４８には捻りバネ４９が装着される。捻りバネ４９の一端はカバー片４６に係止されると共に、他端はスライド台４５に係止され、これにより、カバー片４６は差込孔４１１を閉鎖する方向に付勢されている。
さらに、外殻体４の一側内面に形成された固定突起４３と、スライド台４５との間に介在されたコイルバネ４４によって、スライド台４５はカバー片４６が差込孔４１１へ接近する方向へ付勢されている。
【００１６】
図７に示すように、このコンセントカバーは、実施例１と同様にしてコンセントＡの固定孔Ａ１に嵌合すると、コンセントＡ内の座体Ａ２に設置された一対の導電端子Ａ３が、差込孔４１１，４２１の直下に位置するようになっている。
プラグの刃を上殻体４１の差込孔４１１へ差し込むと、プラグの刃がカバー片４６の遮蔽片４７を押し下げ、カバー片４６が捻りバネ４９の付勢力に抗して斜め可能に傾斜し、さらに、プラグの刃により一側に向かって押圧され、カバー片４６及びスライド台４５がコイルバネ４４を圧縮しながら幅方向に沿って移動する。
この結果、プラグの刃は、下殻体４２の差込孔４２１を通して導電端子Ａ３に接続される。
【００１７】
また、プラグを引き抜くと、コイルバネ４４に押圧されてスライド台４５が元の位置に復帰し、捻りバネ４９の付勢力によりカバー片４６が逆回転して、差込孔４１１を閉鎖すると共に、遮蔽片４７が差込孔４１１へ挿入される。
異物が一方の差込孔４１１へ挿入されても、他方の差込孔を閉鎖するカバー片４６は回動せず、遮蔽片４７が差込孔４１１から脱出しないので、スライド台４５は幅方向へ移動せず、このため、異物が導電端子Ａ３に接触する深さまで進入することはない。
その他の構成は、実施例１とほぼ同様である。
【実施例３】
【００１８】
図８は実施例３を示す。
外殻体５６は、下面が開口した箱形をなし、コンセント５の上面に被せられるようになっている。外殻体５６の天面両側寄りにはそれぞれ差込孔５７が形成され、これらの差込孔５７が、コンセント５の座体５１内に設置された一対の導電端子５２の上方に配置される。
スライド台５３は、外殻体５６の下方に幅方向へ移動可能に設置される。外殻体５６には下殻体がないので、スライド台５３はコンセント５の座体５１上に直接載置される。
【００１９】
スライド台５３の前後壁の両側寄り上縁において、相対向する個所にはそれぞれ係合溝５４が形成され、この係合溝５４間に、差込孔５７を開閉するカバー片５５が回動可能に架設される。
外殻体５６の下面において各差込孔５７の側方には固定突起５８が突出され、固定突起５８にバネ５９の一端部が取り付けられる。固定突起５８はスライド台５３の内側へ配置され、スライド台５３の移動範囲を規制する位置決め機能を有する。
バネ５９の他端部はカバー片５５に連結され、これにより、カバー片５５が差込孔５７を閉鎖する方向に付勢されている。
その他の構成及び作用は、実施例１とほぼ同様である。
【実施例４】
【００２０】
図９は実施例４を示す。
外殻体６８は、下面が開口した箱形をなし、コンセント６の上面に被せられる。外殻体６８の天面両側寄りには差込孔６９が形成され、これらの差込孔６９が、コンセント６の導電端子６２の直上に配置される。
スライド台６５は、外殻体６８の下方に幅方向へ移動可能に配置され、コンセント６の座体６１上に載置される。スライド台６５の前後壁の両側寄り上縁にはそれぞれ係合溝６６が形成され、この係合溝６６間に、差込孔６９を開閉するカバー片６７が回動可能に架設される。
【００２１】
座体６１の上面において、各差込孔６９の側方にはそれぞれ固定突起６３が一体に突設され、固定突起６３がスライド台６５の内側に配置される。
また、固定突起６３にバネ６４の一端部が連結されると共に、バネ６４の他端部がカバー片６７に連結され、これにより、カバー片６７が差込孔６９を閉鎖する方向に付勢されている。
その他の構成及び作用は、実施例１とほぼ同様である。
【図面の簡単な説明】
【００２２】
【図１】実施例１を示すコンセントカバーの分解斜視図。
【図２】実施例１を示すコンセントカバーの断面図。
【図３】実施例１に係るコンセントカバー及びコンセントの断面図。
【図４】実施例１に係るコンセントカバー及びコンセントのプラグ差込時の断面図。
【図５】実施例１に係るコンセントカバー及びコンセントの異物挿入時の断面図。
【図６】実施例２を示すコンセントカバーの要部平面図。
【図７】実施例２に係るコンセントカバー及びコンセントの断面図。
【図８】実施例３に係るコンセントカバー及びコンセントの断面図。
【図９】実施例４に係るコンセントカバー及びコンセントの断面図。
【符号の説明】
【００２３】
１，４，５６，６８  外殻体
１１，４１  上殻体
１２，４２  下殻体
１３，４１１，５７，６９  差込孔
１４，４２１  差込孔
１５，４３，５８，６３  固定突起
１６，５９，６４  バネ
２，４５，５３，６５  スライド台
２１，５４，６６  係合溝
３，４６，５５，６７  カバー片
３１，４８  支軸
３２，４７  遮蔽片
３３  支持片
４４  コイルバネ
４９  捻りバネ
Ａ，５，６  コンセント
Ａ１  固定孔
Ａ２，５１，６１  座体
Ａ３，５２，６２  導電端子
Ｂ  プラグ
Ｂ１  刃
Ｃ  異物
【図１】
0003100893.tif 000003
【図２】
0003100893.tif 000004
【図３】
0003100893.tif 000005
【図４】
0003100893.tif 000006
【図５】
0003100893.tif 000007
【図６】
0003100893.tif 000008
【図７】
0003100893.tif 000009
【図８】
0003100893.tif 000010
【図９】
0003100893.tif 000011